(57)【特許請求の範囲】
【請求項１】
窒素雰囲気容器とヘッドとを隣接して並列に配置し、該窒素雰囲気容器とヘッドの内部に導体を通過させる高圧ＣＶケーブルの製造方法において、前記窒素雰囲気容器の上部には窒素挿入口が形成され、前記窒素雰囲気容器の内部には前記導体を囲繞する環状の窒素放出部材が設置されていて、前記窒素挿入口と前記窒素放出部材とが接続されていて、前記窒素挿入口から挿入された窒素を前記窒素放出部材内部に通過させて、該窒素放出部材から圧力をもって前記導体に噴射させることを特徴とする高圧ＣＶケーブルの製造方法。
【請求項２】
前記窒素放出部材がリング状ノズルからなることを特徴とする請求項１に記載の高圧ＣＶケーブルの製造方法。
【発明の詳細な説明】
【０００１】
【発明の属する技術分野】
本発明は、高圧ＣＶケーブルの製造方法に関するものであって、特に、導体の変色を防ぐことができる高圧ＣＶケーブルの製造方法に関するものである。
【０００２】
【従来の技術】
一般に、高圧ＣＶケーブル１は、図３に示すように、複数本の素線を撚り合わせてなる導体２と、該導体２を被覆する絶縁層３とを有する構造となっている。
そして、この高圧ＣＶケーブル１の絶縁層３はポリエチレン樹脂組成物で形成されていて、該絶縁層３の内側と外側には、導体表面上の電界集中の緩和や導体と絶縁層との間の部分放電を防止するために、半導電層４，５が形成されている。
この半導電層４，５は、半導電性樹脂組成物を押出し成形した半導電層を用いるのが主流となっている。そして、このような高圧ＣＶケーブル１の絶縁層３、及び半導電層４，５は、図４に示すような方法で押出成形されるようになっている。
【０００３】
図４において、導体２は、窒素雰囲気容器６とヘッド７とを通過する構造となっている。この窒素雰囲気容器６には、上部に窒素挿入口８が突設されていて、該窒素挿入口８から窒素雰囲気容器６内部に窒素が挿入されることで、該窒素雰囲気容器６内部に窒素が充填されて窒素雰囲気となるようになっている。そして、このような窒素雰囲気容器６の内部に導体２を通過させることで、導体２を窒素雰囲気としている。さらに、この導体２は、窒素雰囲気容器６と隣接するヘッド７を通過するようになっていて、このヘッド７において、導体２に絶縁層３及び半導電層４，５を押出成形し、高圧ＣＶケーブル１が形成されるようになっている。
【０００４】
【発明が解決しようとする課題】
しかしながら、このような従来の高圧ＣＶケーブルの製造方法には、次のような問題があった。
すなわち、従来の高圧ＣＶケーブルの製造方法は、窒素挿入口８から窒素雰囲気容器６に窒素を挿入させて、この窒素雰囲気容器６に窒素が充填されていて、導体２が、この窒素雰囲気容器６を通過することによって導体２を窒素雰囲気としていた。しかし、この窒素雰囲気容器６に充填されている窒素には、窒素挿入口８から窒素雰囲気容器６に流し込むための若干の元圧力しかかけられていなかった。このため、複数本の素線を撚り合わせて形成された導体２を窒素雰囲気容器６に挿入すると、導体２の表面を窒素雰囲気とすることはできたが、導体２の素線間の内部まで窒素雰囲気とすることが困難となっていた。この結果、複数本の素線を撚り合わせてなる導体２の内部の素線を窒素雰囲気とすることができず、このような導体２が変色してしまうという問題があった。
【０００５】
本発明の目的は、複数本の素線が撚り合わされた導体からなる高圧ＣＶケーブルにおいても、導体が変色することのない高圧ＣＶケーブルの製造方法を提供することにある。
【０００６】
【課題を解決するための手段】
上記目的を達成するために、請求項１に記載の高圧ＣＶケーブルの製造方法は、窒素雰囲気容器とヘッドとを隣接して並列に配置し、該窒素雰囲気容器とヘッドの内部に導体を通過させる高圧ＣＶケーブルの製造方法において、前記窒素雰囲気容器の上部には窒素挿入口が形成され、前記窒素雰囲気容器の内部には前記導体を囲繞する環状の窒素放出部材が設置されていて、前記窒素挿入口と前記窒素放出部材とが接続されていて、前記窒素挿入口から挿入された窒素を前記窒素放出部材内部に通過させて、該窒素放出部材から圧力をもって前記導体に噴射させることを特徴としている。
このように請求項１に記載の発明によると、複数本の素線からなる導体においても、素線間内部に至るまで窒素雰囲気とすることができ、導体が変色することのない高圧ＣＶケーブルの製造方法を提供することができる。
【０００７】
上記目的を達成するために、請求項２に記載の高圧ＣＶケーブルの製造方法は、前記窒素放出部材がリング状ノズルからなることを特徴としている。
このように請求項２に記載の発明によると、窒素を窒素雰囲気容器内部に圧入することが可能となり、複数本の素線を撚り合わせてなる導体においても、素線間内部に至るまで窒素雰囲気とすることができ、導体が変色することのない高圧ＣＶケーブルの製造方法を提供することができる。
【０００８】
【発明の実施の形態】
以下、本発明に係る高圧ＣＶケーブルの製造方法における一実施の形態について図面を用いて説明する。
図１には、本発明に係る高圧ＣＶケーブルの製造方法の一実施の形態が示されている。
図１は、本発明に係る高圧ＣＶケーブルの製造方法を示す概念図である。図において、１０は、窒素雰囲気容器であって、中空内部を有する筐体状に形成されている。図において、この窒素雰囲気容器１０には、一端から導体１１が挿入されていて、該導体１１が矢印方向に押し込まれるようになっている。また、この窒素雰囲気容器１０の上部には、窒素挿入口１２が設けられている。この窒素挿入口１２は、パイプ状に形成されていて、前記窒素雰囲気容器１０の内部に窒素を挿入させることができるようになっている。そして、この窒素雰囲気容器１０には、ヘッド１３が隣接して設けられている。
【０００９】
ヘッド１３は、前記窒素雰囲気容器１０と隣接して並列に設けられている。このヘッド１３は、前記窒素雰囲気容器１０の内部を通過した導体１１を挿入できるようになっている。そして、この導体１１をヘッド１３に挿入することで、ヘッド１３内部において、導体１１に内部半導電層と絶縁層と外部半導電層とを押出成形することができるようになっている（図示せず）。このようにして、導体１１が窒素雰囲気容器１０とヘッド１３とを通過して、高圧ＣＶケーブル１４が形成されるようになっている。
【００１０】
ここで、本発明に係る高圧ＣＶケーブルの製造方法における窒素雰囲気容器１０の内部の構造を詳細に説明する。
図２には、図１における窒素雰囲気容器１０の一部拡大断面図が示されている。
図において、窒素雰囲気容器１０の内部には、窒素放出部材が設けられている。本実施の形態における窒素放出部材は、例えば、リング状ノズル１５によって構成されている。このリング状ノズル１５は、窒素雰囲気容器１０の長手方向に向かって略リング状に形成されている。このリング状ノズル１５は、上部に流体導入路１６を有する形状となっていて、この流体導入路１６と窒素雰囲気容器１０の窒素挿入口１２とが接続されている。そして、前記窒素挿入口１２から供給された気体状の窒素が、この流体導入路１６を通ってリング状ノズル１５内部に供給されるようになっている。なお、ここで、前記窒素挿入口１２から前記リング状ノズル１５に供給された窒素の動きの流れを説明するために、矢印ａ〜ｄを引用する。
【００１１】
リング状ノズル１５内部に供給された窒素は、矢印ａに示すように、リング状ノズル１５内部に設けられた流体供給空間１７に行き渡るようになっている。この流体供給空間１７は、リング状ノズル１５の円周に沿ってリング形状に形成されていて、この流体供給空間１７に窒素が送り込まれると、該窒素が該流体供給空間１７の全周に回転しながら充填されるようになっている。
【００１２】
そして、この流体供給空間１７の全周に窒素が行き渡ると、さらに後から流体導入路１６を通って流体供給空間１７に供給されてくる窒素に押圧されて、流体供給空間内１７内の窒素が、矢印ｂに示すように、流路１８の方向に押し込まれる。
【００１３】
この流路１８は、前記流体供給空間１７の円周部分と接続されていて、該円周部分から、リング状ノズル１５の中心方向に向かって略円板状に形成されている。この流路１８は、前記流体供給空間１７よりも狭い空間となっていて、窒素が前記流体供給空間１７からこの流路１８に押し込まれると、空間が狭くなることによって該窒素に圧力が加えられるようになっている。
【００１４】
そして、矢印ｃに示すように、流路１８を通過することで圧力が加えられた窒素は、続いて、リング状ノズル１５の全周から、均一に圧力をもった状態で、図における矢印ｄに示すように、中心箇所を通過する導体１１に向かって噴射するようになっている。
【００１５】
このように、局部的に高圧とされた窒素を導体１１に噴射することで、複数素線からなる導体１１の素線間の空気を導体１１の表面に押出すことができるようになる。これによって、導体１１が複数本の素線の束からなる場合においても、窒素を素線間の内部にまで行き渡らせて、素線間の空気を導体１１の表面に押出すことが可能となり、導体１１全体を窒素雰囲気とすることができるようになる。すなわち、このように内部の素線まで窒素雰囲気とされた導体１１が、窒素雰囲気容器１０を通過し、ヘッド１３に挿入されて、ヘッド１３内部において、導体１１に絶縁層及び内部半導電層、外部半導電層が押出成形されることで、高圧ＣＶケーブルが形成されるようになっている。
【００１６】
【発明の効果】
本発明は、以上説明したように構成されているので、以下に記載されるような効果を奏する。
【００１７】
本発明によれば、高圧ＣＶケーブルを製造する際に、窒素雰囲気容器内部に窒素放出部材を設けたので、局部的に高圧とした窒素を導体に噴射させることが可能となり、導体が複数本の素線からなる場合においても、素線間に至るまで窒素雰囲気とすることが可能となり、導体が変色することのない高圧ＣＶケーブルの製造方法を提供することができるようになる。
【００１８】
また、窒素放出部材をリング状ノズルとしたので、リング状ノズル全周から均一に圧力をもって導体に窒素を噴射させることが可能となり、導体の素線間に窒素を封入させることが可能な高圧ＣＶケーブルの製造方法を提供することができるようになる。
【図面の簡単な説明】
【図１】本発明に係る高圧ＣＶケーブルの製造方法の一実施の形態を示す概念図である。
【図２】図１の一部拡大断面図である。
【図３】従来の高圧ＣＶケーブルを示す断面図である。
【図４】従来の高圧ＣＶケーブルの製造方法を示す概念図である。
【符号の説明】
１０…………………窒素雰囲気容器
１１…………………導体
１２…………………窒素挿入口
１３…………………ヘッド
１４…………………高圧ＣＶケーブル
１５…………………リング状ノズル
１６…………………流体導入路
１７…………………流体供給空間
１８…………………流路
【図１】
0004042842.tif 000002
【図２】
0004042842.tif 000003
【図３】
0004042842.tif 000004
【図４】
0004042842.tif 000005